(57)【要約】【課題】利用者の好みに応じて，映像の色彩が切替られる映像再生装置を提供する。【解決手段】映像再生装置が，記録媒体から映像データを読み取る読取部と，前記読み取られた映像データに基づき，映像を表示するための信号を生成する信号生成部と，前記表示される映像の色彩の切り替えを指示する色彩切替情報を入力するための入力部と，前記入力された色彩切替情報に基づき，前記表示される映像の色彩を切り替える第１の色彩切替部と，前記入力された色彩切替情報，および色彩の切り替えのタイミングを示す切替タイミングを記憶する記憶部と，前記映像データに基づき映像が表示される場合，前記記憶される色彩切替情報および切替タイミングに基づき，前記表示される映像の色彩を切り替える第２の色彩切替部と，を具備する。【選択図】図１
2008252411.tif 000002
【特許請求の範囲】
【請求項１】
記録媒体から映像データを読み取る読取部と，
前記読み取られた映像データに基づき，映像を表示するための信号を生成する信号生成部と，
前記表示される映像の色彩の切り替えを指示する色彩切替情報を入力するための入力部と，
前記入力された色彩切替情報に基づき，前記表示される映像の色彩を切り替える第１の色彩切替部と，
前記入力された色彩切替情報，および色彩の切り替えのタイミングを示す切替タイミングを記憶する記憶部と，
前記映像データに基づき映像が表示される場合，前記記憶される色彩切替情報および切替タイミングに基づき，前記表示される映像の色彩を切り替える第２の色彩切替部と，
を具備することを特徴とする映像再生装置。
【請求項２】
前記情報記録媒体は，異なる色彩の複数の映像データを記録した複数の映像トラックを有し，
前記第１の色彩切替部が，前記色彩切替情報に対応して，前記映像トラックを切り替えることで，前記映像の色彩を切り替える
ことを特徴とする請求項１記載の映像再生装置。
【請求項３】
前記第１の色彩切替部が，前記色彩切替情報に対応して，前記読み取った映像データにアルファブレンド処理を施すことで，前記映像の色彩を切り替える
ことを特徴とする請求項１記載の映像再生装置。
【請求項４】
表示される映像の色彩の切り替えを指示する色彩切替情報を入力するための入力部と，
前記入力された色彩切替情報に基づき，前記表示される映像の色彩を切り替える第１の色彩切替部と，
前記入力された色彩切替情報，および色彩の切り替えのタイミングを示す切替タイミングを記憶する記憶部と，
前記映像が表示される場合，前記記憶される色彩切替情報および切替タイミングに基づき，前記表示される映像の色彩を切り替える第２の色彩切替部と，してコンピュータを機能させるためのプログラムが記録された情報記録媒体。
【請求項５】
異なる色彩の複数の映像データが，さらに記録された請求項４に記載の情報記録媒体。
【発明の詳細な説明】
【技術分野】
【０００１】
本発明は，映像を再生する映像再生装置および情報記録媒体に関する。
【背景技術】
【０００２】
光ディスク（例えば，ＤＶＤ，ＨＤ−ＤＶＤ）等の情報記録媒体に記録された映像を再生する映像再生装置が用いられている。
なお，使用者の嗜好に合ったディスクまたはトラックの情報を記憶するディスク再生装置に関する技術が公開されている（特許文献１参照）。
【特許文献１】特開平０９−１７１６５号公報
【発明の開示】
【発明が解決しようとする課題】
【０００３】
ところで，色彩の好みに個人差があるため，実質的に同一の映像でも各人の色彩の好みによって感じ方が異なる。例えば，人間は先天的に持って生まれた虹彩の色などにより好みの色温度が異なることが知られている。また，後天的に育った環境により情景ごとに色彩の好みが異なると考えられる。
このため，個人の嗜好に応じて映像の色彩を切り替えることが好ましい。
上記に鑑み，本発明は利用者の好みに応じて，映像の色彩が切替られる映像再生装置および情報記録媒体を提供することを目的とする。
【課題を解決するための手段】
【０００４】
本発明の一態様に係る映像再生装置は，記録媒体から映像データを読み取る読取部と，前記読み取られた映像データに基づき，映像を表示するための信号を生成する信号生成部と，前記表示される映像の色彩の切り替えを指示する色彩切替情報を入力するための入力部と，前記入力された色彩切替情報に基づき，前記表示される映像の色彩を切り替える第１の色彩切替部と，前記入力された色彩切替情報，および色彩の切り替えのタイミングを示す切替タイミングを記憶する記憶部と，前記映像データに基づき映像が表示される場合，前記記憶される色彩切替情報および切替タイミングに基づき，前記表示される映像の色彩を切り替える第２の色彩切替部と，を具備することを特徴とする。
【０００５】
本発明の一態様に係る情報記録媒体は，表示される映像の色彩の切り替えを指示する色彩切替情報を入力するための入力部と，前記入力された色彩切替情報に基づき，前記表示される映像の色彩を切り替える第１の色彩切替部と，前記入力された色彩切替情報，および色彩の切り替えのタイミングを示す切替タイミングを記憶する記憶部と，前記映像が表示される場合，前記記憶される色彩切替情報および切替タイミングに基づき，前記表示される映像の色彩を切り替える第２の色彩切替部と，してコンピュータを機能させるためのプログラムが記録される。
【発明の効果】
【０００６】
本発明によれば，利用者の好みに応じて，映像の色彩が切替られる映像再生装置および情報記録媒体を提供できる。
【発明を実施するための最良の形態】
【０００７】
以下，図面を参照して，本発明の実施の形態を詳細に説明する。
図１は，本発明の一実施形態に係る映像再生装置１０を表す図である。また，図２は，映像再生装置１０で再生される映像が記録されている光ディスク（情報記録媒体）２０を表す模式図である。
【０００８】
光ディスク２０は，例えば，ＤＶＤ（Digital Versatile Disk），ＨＤ−ＤＶＤ（High-Definition Digital Versatile Disc）であり，映像コンテンツ２１およびプログラム２２が記録される。
映像コンテンツ２１は，例えば，動画の映像データとして，光ディスク２０に記録される。ここでは，映像コンテンツ２１は，複数の映像トラック１〜ｎに区分される。これらの映像トラック１〜ｎは，色彩が互いに異なる実質的に同一の映像が記録される。例えば，利用者の多様な嗜好に対応して，コンテンツプロバイダが代表的な色彩で描かれた複数の映像を提供できる。この結果，再生する映像トラック１〜ｎを切り替えることで，再生される映像の色彩を変更することができる。
【０００９】
映像トラック１〜ｎは，色彩のみならず，映像のシーン（時間経過）に応じて区分することも可能である。即ち，映像のシーンに応じて，切替可能な色彩を異ならせることができる。この場合，例えば，動画が複数のシーンに区分され，これらのシーンそれぞれが色彩の異なる複数の映像それぞれに対応する複数の映像トラック１〜ｎに区分される。
なお，映像トラック１〜ｎは，例えば，ＤＶＤ上に物理的に形成されるトラックとは，必ずしも対応しない。
【００１０】
後述するアルファブレンド処理によっても映像の色彩を変更できる。この結果，映像トラック１〜ｎの選択および映像へのアルファブレンドを組み合わせることで，映像の色彩を変化させ，利用者の多様な嗜好に対応することがさらに容易となる。
【００１１】
プログラム２２は，映像再生装置１０に，トラック切り替え機能，アルファブレンド機能，切替履歴取得機能を付与するためのソフトウェアである。映像再生装置１０のハードウェア（ＣＰＵ(中央処理装置：Central Processing Unit)）をプログラム２２で制御することで，これらの機能が実現される。
【００１２】
映像再生装置１０は，光ディスク２０中の映像コンテンツ２１を再生する。この再生に際して，プログラム２２を利用することで，映像の色彩の切替が可能となる。映像再生装置１０は，ディスク読取部１１，映像表示部１２，入力部１３，再生処理部１４，色彩切替履歴記憶部１５を有する。
【００１３】
ディスク読取部１１は，光ディスク２０から情報を読み取るための光ディスクドライブである。
映像表示部１２は，ディスク読取部１１で読み取られた光ディスク２０中の映像コンテンツ２１を表示する表示装置，例えば，ＣＲＴ,液晶表示装置である。
入力部１３は，利用者が情報（例えば，色彩切替情報）を入力するための入力装置，例えば，キーボード，リモコンである。
【００１４】
再生処理部１４は，ディスク読取部１１で読み取った映像コンテンツを再生して，映像表示部１２で表示可能な形式の信号を生成する。再生処理部１４は，映像信号生成部１４１，トラック切替部１４２，アルファブレンド部１４３，色彩切替履歴取得部１４４，色彩切替履歴再生部１４５を有する。これらの内，トラック切替部１４２，アルファブレンド部１４３，色彩切替履歴取得部１４４，色彩切替履歴再生部１４５は，光ディスク２１中のプログラム２１によって実現される。
【００１５】
映像信号生成部１４１およびトラック切替部１４２は，映像の色彩を切り替える第１の色彩切替部として機能する。
映像信号生成部１４１は，ディスク読取部１１から読み取った映像データから映像表示部１２で表示可能な形式の信号を生成する。
トラック切替部１４２は，再生する映像トラック１〜ｎを切り替えることで，映像の色彩を変化させる。
アルファブレンド部１４３は，アルファブレンドによって映像の色彩を切り替える。例えば，映像の画面全面に四角形（矩形）などを描画し，元の映像とアルファブレンドして重ねる。
このとき，矩形での色彩Ｃおよびα値を調節することで，映像の色彩を変更できる。
具体的には，映像の任意の点におけるアルファブレンドの結果の画素値Ｖは以下のようになる：
Ｖ＝  Ｖ０×（１．０−α）＋Ｖ１×α  
Ｖ０，Ｖ１がそれぞれ，元の映像，矩形での画素の値である。α値は０〜１の値を取り，矩形の透過の程度を表わす。α値を調節することで，元の映像，矩形それぞれの色彩の間で映像の色彩を変更できる。α値が，１のとき完全な不透過であり（元の映像が見えない），０のとき完全な透明となる（アルファブレンド前の映像と同一）。
【００１６】
色彩切替履歴取得部１４４は，入力部１３で入力される色彩切替情報を色彩切替履歴として色彩切替履歴記憶部１５に記憶させる。
色彩切替情報は，例えば，映像識別情報，切替方式情報，色彩指定情報，切替位置情報が含まれる。
映像識別情報は，色彩切替の対象となっている映像を識別するための情報（例えば，映像の識別番号，タイトル名）である。
切替方式情報は，（１）映像トラックの切替（方式１），（２）アルファブレンド（方式２），（３）映像トラックの切替およびアルファブレンドの双方（方式３）の何れを用いて，色彩を切り替えるかを表す。
色彩指定情報は，色彩を指定するための情報であり，（１）方式１では映像トラック，（２）方式２では，矩形の色彩およびα値（あるいは，色彩およびα値の組み合わせに対応する関数の名称），（３）方式３では，方式１，２双方での情報（映像トラック，矩形の色彩およびα値）が挙げられる。
切替位置情報は，対象映像中で色彩を切り替えた位置（時間（タイミング））を表す。例えば，映像の開始からの経過時間を切替位置情報として用いることができる。
【００１７】
色彩切替履歴再生部１４５は，色彩切替履歴記憶部１５に記憶された色彩切替履歴に基づいて，映像の色彩の切替履歴を再生するものであり，映像の色彩を切り替える第２の色彩切替部として機能する。即ち，利用者が色彩を切り替えたことがある映像コンテンツを再度再生する際に，色彩の切替が再現される。同一の映像コンテンツを繰り返し再生するときに，利用者の色彩切替操作が不要となる。
色彩切替履歴記憶部１５は，色彩切替履歴取得部１４４が取得する色彩切替情報を色彩切替履歴として記憶する。
【００１８】
（映像再生装置１０の動作）
以下，映像再生装置１０の動作を説明する。
図３は，映像再生装置１０の映像再生中での動作手順の一例を表すフロー図である。
ここでは，光ディスク２０の映像コンテンツ２１を再生していることを想定している。
【００１９】
（１）ユーザの入力（ステップＳ１１）
入力部１３によってユーザが情報を入力する。この入力に際して，映像表示部１２上にメニュー画面を表示させることができる。図４は，メニュー画面の一例を表す図である。映像表示部１２上に，映像に重ねて，メニュー項目４１が表示される。このメニュー項目４１には，「色彩変更（change color）」，「色彩履歴（color history）」を選択する項目が含まれる。この内，「色彩変更（change color）」の項目を選択すると，色彩の項目（ここでは，「赤（red）」，「明るい（bright）」，「滲み（dimm）」）が現れる。ここでは，「色彩変更（change color）」の項目中の「滲み（dimm）」を利用者が選択した状態を表している。
【００２０】
これら色彩の項目は，既述の方式１〜３の何れかに対応する。利用者の操作を簡略化するために，切替方式情報，色彩指定情報を直接表わさず，得られる色彩に対応する名称（red, bright, dimm）を用いて，色彩の切替を可能としている。即ち，これらの項目の選択は，切替方式情報，および色彩指定情報を指定することを意味する。また，この選択のタイミングが切替位置情報（切り替えタイミング）となる。
【００２１】
「色彩履歴（color history）」の項目を選択すると，「再生（reproduce）」，「キャンセル（cancel）」の項目が現れる。前者および後者はそれぞれ，色彩履歴の再現要求，色彩履歴のキャンセル要求を意味する。
【００２２】
（２）入力情報の区分（ステップＳ１２〜Ｓ１３）
入力情報が区分される。即ち，映像の色彩の指示に拘わる情報か否か（ステップＳ１２），および色彩の切替履歴の再現を指定する情報か否か（ステップＳ１３）が判定される。
なお，ステップＳ１２で，映像の色彩の指示に拘わる情報でないと判断された場合は，その指示に対応する処理がなされる（ステップＳ１４）。
【００２３】
（３）色彩の変更処理（ステップＳ１５，Ｓ１６）
ステップＳ１３で，色彩切替履歴の再現要求で無いと判定された場合（色彩の変更指示の場合），色彩切替履歴取得部１４４が色彩切替情報（切替方式情報，色彩指定情報，および切替位置情報）を色彩切替履歴記憶部１５に記憶させる（ステップＳ１５）。
【００２４】
切替方式情報，および色彩指定情報に基づいて，映像の色彩が切り替えられる。
切替方式情報が映像トラックの切替（方式１）を表す場合，トラック切替部１４２が指定された色彩に該当する映像トラック番号を取得して映像トラックを切り替える。
切替方式情報がアルファブレンド（方式２）を表す場合，アルファブレンド部１４３が，固定色を取得して，矩形画像の描画とアルファブレンド処理を行う。
切替方式情報が映像トラックの切替およびアルファブレンドの双方（方式３）を表す場合，トラック切替部１４２およびアルファブレンド部１４３が，トラック切替およびアルファブレンド処理を行う。
【００２５】
（４）色彩履歴の再現処理（ステップＳ１７，Ｓ１８）
再現要求の際には以前行った色彩操作の履歴が存在するかを確認する（ステップＳ１７）。以前行った色彩操作の履歴が存在しない場合は自動実行の要求は無視される。
以前行った色彩操作の履歴が存在する場合は，この履歴に従い色彩の切替が再現される（ステップＳ１８）。即ち，切替位置情報に基づく次の操作予定時間のタイマをセットし，タイマイベントが発火する毎に履歴に存在する色彩操作を実行する。そして次の操作予定時間に再度タイマをセットしてイベント待ちを行う。
この色彩履歴の再現処理は映像コンテンツの再生が終了するか，色彩切替履歴の再現のキャンセルメニューが選択されるまで繰り返される。
【００２６】
以上のように，初回のコンテンツ再生時には，ユーザが色彩操作の入力をすることで，映像の色彩を切り替えることができる。また，２度目以降の再生時は，普通に再生することも可能であるし，色彩切替履歴の再現モードを選択すると以前行った色彩操作が再現されることになる。
【００２７】
（その他の実施形態）
本発明の実施形態は上記の実施形態に限られず拡張，変更可能であり，拡張，変更した実施形態も本発明の技術的範囲に含まれる。
上記実施形態では，映像コンテンツ，プログラムの双方が光ディスク２０上に配置され，映像再生装置によって読み取られる。これに対して，これらの一方，または双方をネットワーク経由で，映像再生装置が受信しても良い。
【図面の簡単な説明】
【００２８】
【図１】本発明の一実施形態に係る映像再生装置１０を表す図である。
【図２】映像再生装置１０で再生される映像が記録されている光ディスク（情報記録媒体）２０を表す模式図である。
【図３】映像再生装置１０の映像再生中での動作手順の一例を表すフロー図である。
【図４】メニュー画面の一例を表す図である。
【符号の説明】
【００２９】
１０…映像再生装置，１１…ディスク読取部，１２…映像表示部，１３…入力部，１４…再生処理部，１５…色彩切替履歴記憶部，２０…光ディスク，２１…映像コンテンツ，２２…プログラム，４１…メニュー項目，１４１…映像信号生成部，１４２…トラック切替部，１４３…アルファブレンド部，１４４…色彩切替履歴取得部，１４５…色彩切替履歴再生部
【図１】
2008252411.tif 000003
【図２】
2008252411.tif 000004
【図３】
2008252411.tif 000005
【図４】
2008252411.tif 000006